(57)【要約】【課題】同一丸編機でパンツ本体のレッグ部とレッグカバーとを連続して編成し、縫製作業を省略してコストダウンを図ると共に、単一口ゴム部にして履きやすいレッグカバー付きパンツを提供することである。【解決手段】ニットからなるパンツ本体１のレッグ部８の裾口ゴム部２から連続してレッグカバー３を編成したのである。その製造方法は、ダイヤルとシリンダとを備えた丸編機を用い、第１工程では、ダイヤルに配列したジャックを介してレッグ部８、腰回り地７及びウエスト地６と前記パンツ本体用筒形生地４を編立て、次にこの生地４を編針から離脱させ、第２工程では、ジャックに前記レッグ部８を保持させたまま前記裾口ゴム部２を編立て、第３工程ではジャックにこの裾口ゴム部２を保持させたまま前記レッグカバー３を編成し、左右の筒形生地４、４に所要の接合用切り口９を設けて縫合するのである。【選択図】　図２
2004143631.tif 000002
【特許請求の範囲】
【請求項１】
ニットからなるパンツ本体のレッグ部の裾口ゴム部から連続してレッグカバーを編成したレッグカバー付きパンツ。
【請求項２】
ダイヤルとシリンダとを備えた丸編機を用い、第１工程では、ダイヤルに配列したジャックを介してレッグ部、腰回り地及びウエスト地と前記パンツ本体用筒形生地を編立て、次にこの生地を編針から離脱させ、第２工程では、ジャックに前記レッグ部を保持させたまま前記裾口ゴム部を編立て、第３工程では、ジャックにこの裾口ゴム部を保持させたまま前記レッグカバーを編成し、第４工程では、左右の筒形生地に所要の接合用切り口を設けて縫合することから成るレッグカバー付きパンツの製造方法。
【請求項３】
ダイヤルとシリンダとを備えた丸編機を用い、第１工程では、ダイヤルに配列したジャックを介して裾口ゴム部を編立て、第２工程では、ジャックにこの裾口ゴム部を保持させたままレッグカバーを編立て、次にこの生地を編針から離脱させ、第３工程では、ジャックに再び前記裾口ゴム部を保持させたままレッグ部、腰回り地及びウエスト地とパンツ本体用筒形生地を編成し、第４工程では、左右の筒形生地に所要の接合用切り口を設けて縫合することから成るレッグカバー付きパンツの製造方法。
【発明の詳細な説明】
【０００１】
【発明の属する技術分野】
この発明は、ニットからなるパンツ本体のレッグ部の外側に、保温用装飾用などのレッグカバーを有するパンツ及びその製造方法に関する。
【０００２】
【従来の技術】
従来、パンツと所謂レッグウォーマーなどのレッグカバーは、別々に使用していた。しかしながら、冬期などには、ロングタイプのパンツのレッグ部の上に常時レッグウォーマーを着用することが多く、これを一体化して一挙に着用できれば非常に便利である。ところが、ニットからなるパンツとレッグウォーマーは、別々の編成作業が必要であり、これらを一体化する縫製作業も必要となり、手間がかかってコスト高になり、また、両者の口ゴム部が重なり合って厚地となるため、外観的にも好ましくない問題が生じている。
【０００３】
【発明が解決しようとする課題】
そこで、この発明の課題は、同一丸編機でパンツ本体のレッグ部とレッグカバーとを連続して編成し、縫製作業を省略してコストダウンを図ると共に、単一口ゴム部にして履きやすいレッグカバー付きパンツを提供することである。
【０００４】
【課題を解決するための手段】
上記の課題を解決するために、この発明のレッグカバー付きパンツは、ニットからなるパンツ本体のレッグ部の裾口ゴム部から連続してレッグカバーを編成したのである。
【０００５】
即ち、ダイヤルとシリンダとを備えた丸編機を用い、まずパンツ本体用筒形生地を作成するために、第１工程では、ダイヤルに配列したジャックを介してレッグ部、腰回り地及びウエスト地と前記パンツ本体用筒形生地を編立て、次にこの生地を編針から離脱させ、第２工程では、ジャックに前記レッグ部を保持させたまま前記裾口ゴム部を編立て、第３工程では、ジャックにこの裾口ゴム部を保持させたまま前記レッグカバーを編成し、第４工程では、左右の筒形生地に所要の接合用切り口を設けて縫合したのである。
【０００６】
また、同様の丸編機を用い、まずレッグカバーを作成するために、第１工程では、ダイヤルに配列したジャックを介して裾口ゴム部を編立て、第２工程では、ジャックにこの裾口ゴム部を保持させたままレッグカバーを編立て、次にこの生地を編針から離脱させ、第３工程では、ジャックに再び前記裾口ゴム部を保持させたままレッグ部、腰回り地及びウエスト地とパンツ本体用筒形生地を編成し、第４工程では、左右の筒形生地に所要の接合用切り口を設けて縫合したのである。
【０００７】
【作用】
この発明のレッグカバー付きパンツによると、１個の裾口ゴム部を介してパンツ本体のレッグ部とレッグカバーとが連続しており、裾口ゴム部に縫合用ミシン糸目がないため、外観上美しく、かつ裾口ゴム部が伸縮しやすく履きやすい。また、同じ丸編機で連続して生産でき、縫製作業を省略できる。
【０００８】
【発明の実施の形態】
以下、この発明の実施形態を添付図面に基づいて説明する。図１及び図２に示すように、この発明のレッグカバー付きパンツは、ポリウレタンの弾性芯糸に綿・ポリエステルなどの混紡糸を被覆したカバードヤーンなどを編糸として用いたニットからなるパンツ本体１のレッグ部裾口ゴム部２、２から連続してその外側に筒形レッグカバー３、３が一体に編成されたものである。
【０００９】
前記パンツ本体１は、丸編機から編立てられた２本の筒形生地４、４（図２参照）と、これと略同じ編地で下端が尖った細長い略５角形状後面まち５との生地を縫合して形成されている。
【００１０】
前記筒形生地４は、ウエスト地６、腰回り地７、レッグ部８及び裾口ゴム部２からなり、ウエスト地６及び腰回り地７の対面側に接合用の略Ｕ字形状切り口９が設けられ、この切り口９に後面まち５を入れ略Ｕ字形状縫合線１０で接合し、前面中央縫合線１１で左右の筒形生地の前面を接合して筒形腰回り部１２が形成され、ウエスト地を折重ね横一線状縫合線１３で接合して袋状ウエスト部１４が形成され、この内部にゴムテープ１５を封入してパンツ本体１が出来上がる。
【００１１】
前記レッグカバー３は、レッグ部８の下半部をすっぽりと覆う比較的厚手の、所謂レッグ・ウォーマー即ち保温用の筒形編地であり、レッグ部８より径が太くレッグ部８の下半部全体を覆う長さに編立てられ、横縞状飾り模様１６が設けられ、上縁にピコット即ちループ状の縁飾り１７が施されている。
【００１２】
前記レッグカバー３は、パンツ本体１とほぼ同じ太さの編糸が用いられ、粗目の平編組織で伸びやすくなっている。なお、このレッグカバー３は、上述のように、パンツ本体１のレッグ部８とほぼ同じ厚さの保温用のもののほか、さらに厚地の防寒用のもの、薄地のフリルタイプやレース状変化編組織の装飾用のもの、スパッツ状保護用のものなど、用途に対応して素材の種類、編成組織等を適宜選択することができ、また、その筒体の太さや丈の長さも適宜選択することができる。
【００１３】
なお、この発明に係るレッグカバー付きパンツは、図示のような、足首に達するレッグ部の長いロングタイプのもののほか、中タイプのもの、ショートタイプのもの等いろいろなタイプのものにも適用できる。
【００１４】
この発明のレッグカバー付きパンツにおいて、複数の腰回り部の縫製手段があり、上述の腰回り部１２は後面まち５を補って腰回りを大きくした標準形のものである。
【００１５】
図３は、後面まち１８の下縁に前面まち１９が連なった大形まちを用いたものであり、大径の腰回り部が縫製できる。
【００１６】
図４は、股底面のみに略菱形状股底まち２０を用いたものであり、前面及び後面に三角形状のまちが見え拡大した股底部のパンツが得られる。
【００１７】
図５は、まち無しのものであり、左右の筒形生地４、４を略Ｕ字形状切り口２１、２１で縫合して細い腰回り部が形成できる。
【００１８】
図６、図７、図８及び図９は、この発明のレッグカバー付きパンツの、先にパンツ本体用筒形生地４を作成する第１の製造方法を示し、使用する編機は、上部のダイヤル２２に放射状に配列され前進・後退運動をする薄鋼片のジャック２３と、シリンダ２４の針床に配列され上昇・下降運動をする編針２５などから構成されたエレクトロニクス制御の自動丸編機である。
【００１９】
第１工程では、図６に示すように、ジャック２３は前進して先端のフック２６に渡し糸からなるループ２７を持たせ、ダイヤル２２内に後退してパンツ本体用筒形生地４を編立終了までその状態で保持する。
【００２０】
編針２５に給糸が移って編立開始所謂メイクアップとなり、レッグ部８、腰回り地７及びウエスト地６と順次編立てて筒形生地４が編成され、次に編針２５から最後のウエスト地６の捨て糸部を離脱、即ち生地の丸落しがなされる。
【００２１】
第２工程では、図７及び図８に示すように、ジャック２３に係止されたループ２７を介して前記筒形生地４を保持させたままで、ループを編針に移してメイクアップとなり小幅のつなぎ用平編地２８（図１参照）からゴム編地２９と編立てられ、前進したジャック２３内の針進入用隙間３０へ編針２５の先端が突入してループ２７を移し（所謂トランスファ）即ち糸移し（図８参照）が行なわれて、袋状裾口ゴム部２（図１参照）が形成される。
【００２２】
第３工程では、図９に示すように、ジャック２３に新しいループ３１を介して筒形生地４及び裾口ゴム部２を保持させたままでレッグカバー３が編成され、編立終了後丸編機から編地全体を押し落す、所謂プレスオフがなされる。
【００２３】
プレスオフされた左右の対の筒形編地は、前述のように、対面側に接合用の略Ｕ字形状切り口を設けて、所要のまちを入れて縫合して所望のレッグカバー付きパンツが出来上がる。
【００２４】
図１０、図１１及び図１２は、先にレッグカバーを作る第２の製造方法を示し、前述の編機と同じ丸編機が用いられる。
【００２５】
第１工程では、図１０に示すように、前進したジャック２３の先端のフック２６に渡し糸からなるループ３２を持たせ、ダイヤル２２内に後退してレッグカバーを編立終了までその状態で保持する。
【００２６】
編針２５に給糸が移って編立開始、所謂メイクアップとなり、小幅のつなぎ用平編地３３からゴム編地３４と編立てられ、トランスファが行なわれて袋状裾口ゴム部３５（図１１参照）が形成される。
【００２７】
第２工程では、図１１に示すように、ジャック２３に再びループ３２を介して裾口ゴム部３５を保持させたままで、メイクアップしてレッグカバー３６を編立て、次にこれを編針２５から離脱させる。
【００２８】
第３工程では、図１２に示すように、ジャック２３に新しいループ３７を介して裾口ゴム部３５及びレッグカバー３６を保持させ、レッグ部３８、腰回り地３９、ウエスト地４０、捨て糸部と順次編立てて筒形生地４１が編成され、プレスオフがなされる。
【００２９】
プレスオフされた対の筒形生地を縫合して所望のレッグカバー付きパンツが出来上がる。
【００３０】
なお、この発明に係るレッグカバー付きパンツは、上述のように、裾口ゴム部を袋状にして二重地とするほか、太い編糸を用いて袋状にせず一重のゴム編地のものとすることもできる。
【００３１】
また、レッグカバーとパンツ本体との編糸の着色カラーを変えることによって優れたファッション性が得られ、レッグカバーにいろいろな飾り模様を設けたり、キャラクタ、動物、花などを設けることもできる。
【００３２】
【発明の効果】
この発明によれば、以上のように、公知のダイヤルに配列装填されたジャックを活用して、メイクアップ（糸食い始め）、編立て、トランスファ（ループ移し）、生地を離脱（生地の丸落し）、プレスオフ（編地全体を押し落す）などの編立操作を自動的に繰返し行なって裾口ゴム部にパンツ本体とレッグカバーとを分岐し連続編成したものであり、裾口ゴム部に縫合用ミシン糸目が存在しなくて外観上美しいレッグカバー付きパンツが得られる。
【００３３】
また、同じ丸編機で連続して編立てられるため生産性が高く、縫製作業が省略できて大幅なコストダウンを図ることができるなどの効果がある。
【図面の簡単な説明】
【図１】この発明のレッグカバー付きパンツの一例を示す一部横断平面図
【図２】同上の後面まちを示す分解説明図
【図３】同上の前面後面まちの一例を示す分解説明図
【図４】同上の股底まちの一例を示す分解説明図
【図５】同上のまち無しの一例を示す分解説明図
【図６】この発明のレッグカバー付きパンツの、第１の製造方法の第１工程を示す説明図
【図７】同上の第２工程を示す説明図
【図８】同上の第２工程のトランスファ工程を示す説明図
【図９】同上の第３工程を示す説明図
【図１０】この発明のレッグカバー付きパンツの、第２の製造方法の第１工程を示す説明図
【図１１】同上の第２工程を示す説明図
【図１２】同上の第３工程を示す説明図
【符号の説明】
１　パンツ本体
２、３５　裾口ゴム部
３、３６　レッグカバー
４、４１　生地
５、１８　後面まち
６、４０　ウエスト地
７、３９　腰回り地
８、３８　レッグ部
９、２１　切り口
１０、１１、１３　縫合線
１２　腰回り部
１４　ウエスト部
１５　ゴムテープ
１６　飾り模様
１７　縁飾り
１９　前面まち
２０　股底まち
２２　ダイヤル
２３　ジャック
２４　シリンダ
２５　編針
２６　フック
２７、３１、３２、３７　ループ
２８、３３　平編地
２９、３４　ゴム編地
３０　隙間
【図１】
2004143631.tif 000003
【図２】
2004143631.tif 000004
【図３】
2004143631.tif 000005
【図４】
2004143631.tif 000006
【図５】
2004143631.tif 000007
【図６】
2004143631.tif 000008
【図７】
2004143631.tif 000009
【図８】
2004143631.tif 000010
【図９】
2004143631.tif 000011
【図１０】
2004143631.tif 000012
【図１１】
2004143631.tif 000013
【図１２】
2004143631.tif 000014